(57)【要約】【課題】フィルタ清掃装置でフィルタを効果的に清掃可能な空気調和機を提供する。【解決手段】空気調和機１は、クロスフローファン１２０とキャビネット１００とフィルタ１０３とフィルタ清掃装置１４０と制御部１６０とフィルタ清掃ボタン２１０とを備える。制御部１６０は、使用者によってフィルタ清掃ボタン２１０を通して自動清掃行程を行なうことが選択されている場合には、クロスフローファン１２０が駆動停止された後にフィルタ清掃装置１４０がフィルタ１０３を清掃する自動清掃行程を行なうようにフィルタ清掃装置１４０を制御し、使用者によってフィルタ清掃ボタン２１０を通して自動清掃行程を行なうことが選択されていない場合には、クロスフローファン１２０の駆動停止の回数が１０回になった後、フィルタ清掃装置１４０がフィルタ１０３を清掃する強制清掃行程を行なうようにフィルタ清掃装置１４０を制御する。【選択図】図６
2011094865.tif 000002
【特許請求の範囲】
【請求項１】
ファンと、
前記ファンを収容し、空気を吸い込むための吸込口を有する筐体と、
前記筐体の内部において前記吸込口に対向するように配置されるフィルタと、
前記フィルタを清掃するフィルタ清掃装置と、
前記ファンと前記フィルタ清掃装置の駆動を制御する制御部と、
前記ファンが駆動停止された後に前記フィルタ清掃装置が前記フィルタを清掃する自動清掃行程を行なうことを使用者が選択するための選択部とを備え、
前記制御部は、
使用者によって前記選択部を通して前記自動清掃行程を行なうことが選択されている場合には、前記ファンが駆動停止された後、前記フィルタ清掃装置が前記フィルタを清掃する自動清掃行程を行なうように前記フィルタ清掃装置を制御し、
使用者によって前記選択部を通して前記自動清掃行程を行なうことが選択されていない場合には、前記ファンの駆動と駆動停止との切替の回数が予め定められた回数になった後、前記フィルタ清掃装置が前記フィルタを清掃する強制清掃行程を行なうように前記フィルタ清掃装置を制御するように構成されている、空気調和機。
【請求項２】
使用者が空気調和機の運転の停止を指示するための停止指示部を備え、
前記制御部は、
前記停止指示部を通して当該空気調和機の運転の停止が指示された場合であって、使用者によって前記選択部を通して前記自動清掃行程を行なうことが選択されている場合には、前記停止指示部を通して当該空気調和機の運転の停止が指示されて前記ファンが駆動停止された後、前記フィルタ清掃装置が前記フィルタを清掃する自動清掃行程を行なうように前記フィルタ清掃装置を制御し、
前記停止指示部を通して当該空気調和機の運転の停止が指示された場合であって、使用者によって前記選択部を通して前記自動清掃行程を行なうことが選択されていない場合には、前記停止指示部を通して空気調和機の運転の停止が指示されることによって前記ファンの駆動と駆動停止との切替の回数が予め定められた回数になった後、前記フィルタ清掃装置が前記フィルタを清掃する強制清掃行程を行なうように前記フィルタ清掃装置を制御し、
前記停止指示部を通して当該空気調和機の運転の停止が指示されていない場合には、前記ファンが駆動停止されても前記自動清掃行程と前記強制清掃行程のいずれも行わないように構成されている、請求項１に記載の空気調和機。
【請求項３】
前記停止指示部は、使用者が操作して空気調和機の運転の停止を指示することが可能であるように構成されている、請求項２に記載の空気調和機。
【請求項４】
前記停止指示部は、使用者が操作して予め設定された時刻に、または、使用者が前記停止指示部を操作してから所定時間経過後に、空気調和機の運転の停止を指示することが可能であるように構成されている、請求項２または請求項３に記載の空気調和機。
【請求項５】
前記制御部は、第１の前記強制清掃行程を行なった後、第２の前記強制清掃行程を行なう場合には、少なくとも一定時間の間隔をあけて前記第２の強制清掃行程を行なうように構成されている、請求項１から請求項４までのいずれか１項に記載の空気調和機。
【発明の詳細な説明】
【技術分野】
【０００１】
この発明は、一般的には空気調和機に関し、特定的には、フィルタを清掃するフィルタ清掃装置を備える空気調和機に関する。
【背景技術】
【０００２】
従来、空気調和機のフィルタを清掃するためのフィルタ清掃装置を備える空気調和機がある。フィルタ清掃装置を備える空気調和機には、フィルタ清掃装置が自動的にフィルタの清掃を行なうように構成されているものがある。
【０００３】
例えば、特開２００７−１９２４４９号公報（特許文献１）には、複数のタイミングの各々に応じて異なる複数の運転モードのいずれかでフィルタ清掃装置を運転するように制御する空気調和機が記載されている。この空気調和機では、使用者は、リモートコントローラの「掃除」ボタンを事前に押すことによって、空気調和機の運転を停止するときにフィルタ清掃装置の運転が行なわれるように予め設定することができる。リモートコントローラの「掃除」ボタンが事前に押されていない場合には、フィルタ清掃装置によるフィルタの掃除は行なわれずに、そのまま空気調和機の運転が停止される。
【先行技術文献】
【特許文献】
【０００４】
【特許文献１】特開２００７−１９２４４９号公報
【発明の概要】
【発明が解決しようとする課題】
【０００５】
しかしながら、特開２００７−１９２４４９号公報（特許文献１）に記載の空気調和機では、使用者がリモートコントローラを誤って操作して、フィルタ清掃装置によるフィルタの掃除を行なうという設定を解除してしまうことがある。フィルタの掃除を行なうという設定を誤って解除してしまったことに使用者が気付かないでいると、空気調和機のフィルタは長時間、清掃されないままになることがある。フィルタが清掃されないまま空気調和機の運転が続けられると、フィルタに埃が溜まり、空気調和機の空気調和の性能を低下させることがある。
【０００６】
空気調和機のフィルタに埃が溜まり続けて、ある程度以上の埃がフィルタ上に堆積すると、その後、フィルタ清掃装置によってフィルタの清掃を行なおうとしても、フィルタ清掃装置による清掃ではフィルタから埃を十分に取り除くことができなくなる場合がある。フィルタ上に埃が堆積して、フィルタ清掃装置でフィルタの清掃が十分にできなくなると、使用者が空気調和機からフィルタを外して、フィルタの清掃を行なう必要がある。
【０００７】
そこで、この発明の目的は、フィルタ清掃装置によってフィルタを効果的に清掃することが可能な空気調和機を提供することである。
【課題を解決するための手段】
【０００８】
この発明に従った空気調和機は、ファンと、筐体と、フィルタと、フィルタ清掃装置と、制御部と、選択部とを備える。
【０００９】
筐体は、ファンを収容し、空気を吸い込むための吸込口を有するものである。フィルタは、筐体の内部において吸込口に対向するように配置される。フィルタ清掃装置は、フィルタを清掃するものである。制御部は、ファンとフィルタ清掃装置の駆動を制御する。選択部は、ファンが駆動停止された後にフィルタ清掃装置がフィルタを清掃する自動清掃行程を行なうことを使用者が選択するためのものである。
【００１０】
制御部は、使用者によって選択部を通して自動清掃行程を行なうことが選択されている場合には、ファンが駆動停止された後にフィルタ清掃装置がフィルタを清掃する自動清掃行程を行なうようにフィルタ清掃装置を制御するように構成されている。また制御部は、使用者によって選択部を通して自動清掃行程を行なうことが選択されていない場合には、ファンの駆動と駆動停止との切替の回数が予め定められた回数になった後、フィルタ清掃装置がフィルタを清掃する強制清掃行程を行なうようにフィルタ清掃装置を制御するように構成されている。
【００１１】
空気調和機の使用者は、選択部を通して、ファンが駆動停止された後にフィルタ清掃装置がフィルタを清掃する自動清掃行程を行なうことを選択することができる。使用者が、自動清掃行程を行なうことを選択しない場合には、自動清掃行程は行なわれない。
【００１２】
使用者が自動清掃行程を行なうことを選択しない場合、すなわち、使用者が自動清掃行程を行なうことを選択し忘れている場合や、使用者が気付かないうちに自動清掃行程を行なう選択が解除されている場合には、強制清掃行程を行なうように、制御部がフィルタ清掃装置を制御する。強制清掃行程では、ファンの駆動と駆動停止との切替の回数が予め定められた回数になった後、フィルタ清掃装置がフィルタを清掃する。
【００１３】
このようにして、自動清掃行程を行なうことが使用者によって選択されていない場合であっても、フィルタを清掃することができる。使用者が誤って自動清掃行程を選択しない場合にも、強制清掃行程によってフィルタの清掃が行なわれるので、フィルタにある程度以上の埃が堆積することを防ぐことができる。
【００１４】
このようにすることにより、フィルタ清掃装置によってフィルタを効果的に清掃することが可能な空気調和機を提供することができる。
【００１５】
この発明に従った空気調和機は、使用者が空気調和機の運転の停止を指示するための停止指示部を備えることが好ましい。
【００１６】
制御部は、停止指示部を通して当該空気調和機の運転の停止が指示された場合であって、使用者によって選択部を通して自動清掃行程を行なうことが選択されている場合には、停止指示部を通して当該空気調和機の運転の停止が指示されてファンが駆動停止された後、フィルタ清掃装置がフィルタを清掃する自動清掃行程を行なうようにフィルタ清掃装置を制御することが好ましい。
【００１７】
また、制御部は、停止指示部を通して当該空気調和機の運転の停止が指示された場合であって、使用者によって選択部を通して自動清掃行程を行なうことが選択されていない場合には、停止指示部を通して空気調和機の運転の停止が指示されることによってファンの駆動と駆動停止との切替の回数が予め定められた回数になった後、フィルタ清掃装置がフィルタを清掃する強制清掃行程を行なうようにフィルタ清掃装置を制御することが好ましい。
【００１８】
また、制御部は、停止指示部を通して当該空気調和機の運転の停止が指示されていない場合には、ファンが駆動停止されても自動清掃行程と強制清掃行程のいずれも行わないように構成されていることが好ましい。
【００１９】
空気調和機のファンは、空気調和機の運転の停止、すなわち、暖房運転や冷房運転、除湿運転などの終了時だけでなく、例えば冷暖房運転中に空気調和対象室内の温度が設定温度になったとき（空気調和対象室内の温度と設定温度とは必ずしも一致する必要はなく、空気調和対象室内の温度が設定温度の近傍になったときも含む）にも駆動停止される。空気調和対象室内の温度が設定温度の近傍になったときのファンの駆動停止は比較的短時間であり、ファンはすぐに再駆動されることが多い。
【００２０】
そのため、冷暖房運転中にファンが一旦駆動停止したときにフィルタの清掃が行なわれると、次にファンが再駆動するときに、フィルタの清掃の終了を待つ必要がある。このように、冷暖房運転中にフィルタの清掃の終了を待ってからファンが再駆動されると、フィルタの清掃の終了を待っている間に空気調和対象室内の温度が設定温度から大きく離れてしまい、再び設定温度に近付くまでに時間がかかり、使用者が不快に感じることがある。
【００２１】
そこで、空気調和機は空気調和機の運転の停止を指示するための停止指示部を備え、停止指示部を通して空気調和機の運転の停止が指示されることによってファンの駆動が停止された時にのみ、自動清掃行程または強制清掃行程が行われることが好ましい。
【００２２】
このようにすることにより、冷暖房運転など空気調和機の運転中に自動清掃行程や強制清掃行程が行われて使用者に不快感を与えることを防ぐことができる。
【００２３】
この発明に従った空気調和機においては、停止指示部は、使用者が操作して空気調和機の運転の停止を指示することが可能であるように構成されていることが好ましい。
【００２４】
このようにすることにより、使用者が空気調和機の運転の停止を指示した時に、自動清掃行程または強制清掃行程が行われるようにすることができる。
【００２５】
この発明に従った空気調和機においては、停止指示部は、使用者が操作して予め設定された時刻に、または、使用者が停止指示部を操作してから所定時間経過後に、空気調和機の運転の停止を指示することが可能であるように構成されていることが好ましい。
【００２６】
このようにすることにより、予め設定された時刻に、または、使用者が停止指示部を操作してから所定時間経過後に、空気調和機の運転の停止が指示された時に、自動清掃行程または強制清掃行程が行われるようにすることができる。
【００２７】
この発明に従った空気調和機においては、制御部は、第１の強制清掃行程を行なった後、第２の強制清掃行程を行なう場合には、少なくとも一定時間の間隔をあけて第２の強制清掃行程を行なうように構成されていることが好ましい。
【００２８】
ファンの駆動と駆動停止との切替が予め定められた回数以上行なわれても、前回の強制清掃行程から一定時間経過していない場合には、フィルタを清掃する必要がない場合がある。そこで、制御部は、第１の強制清掃行程を行なった後、第２の強制清掃行程を行なう場合には、少なくとも一定時間の間隔をあけて第２の強制清掃行程を行なうように構成されていることによって、不必要にフィルタ清掃装置を駆動することがなくなる。
【発明の効果】
【００２９】
以上のように、この発明によれば、フィルタ清掃装置によってフィルタを効果的に清掃することが可能な空気調和機を提供することができる。
【図面の簡単な説明】
【００３０】
【図１】本発明の一つの実施の形態に係る空気調和機の全体を示す斜視図である。
【図２】本発明の一つの実施の形態に係る空気調和機を図１に示すＩＩ−ＩＩ線の方向から見た中央縦断面図である。
【図３】本発明の一つの実施の形態に係る空気調和機のフィルタ清掃装置の全体を示す斜視図である。
【図４】本発明の一つの実施の形態に係る空気調和機のリモートコントローラの全体を示す図である。
【図５】本発明の一つの実施の形態に係る空気調和機のリモートコントローラの蓋を開いた状態を示す図である。
【図６】本発明の一つの実施の形態に係る空気調和機の制御関連の構成を示すブロック図である。
【図７】本発明の一つの実施の形態に係る空気調和機が暖房運転または送風運転されているときの状態を示す斜視図である。
【図８】本発明の一つの実施の形態に係る空気調和機を図７に示すＶＩＩＩ−ＶＩＩＩ線の方向から見た中央縦断面図である。
【図９】本発明の一つの実施の形態に係る空気調和機が冷房運転されているときの状態を示す斜視図である。
【図１０】本発明の一つの実施の形態に係る空気調和機を図９に示すＸ−Ｘ線の方向から見た中央縦断面図である。
【図１１】本発明の一つの実施の形態に係る空気調和機がフィルタ清掃運転されているときの状態を示す図である。
【図１２】本発明の一つの実施の形態に係る空気調和機の制御処理を順に示すフローチャートである。
【発明を実施するための形態】
【００３１】
以下、この発明の実施の形態を図面に基づいて説明する。
【００３２】
図１に示すように、この発明の一つの実施の形態の空気調和機１は、全体が筐体としてキャビネット１００で覆われている。キャビネット１００の内部には熱交換器やファンが収容されている。キャビネット１００の正面には吹出口が形成され、空気調和機１の運転が停止されているときには、吹出口はルーバ１１０で覆われる。
【００３３】
図２に示すように、空気調和機１のキャビネット１００には、吸込口１０１と吹出口１０２とが形成されている。吸込口１０１は、キャビネット１００の最上部に形成されている。吹出口１０２は、キャビネット１００の下部において正面側に形成されている。
【００３４】
吸込口１０１の内側には、フィルタ１０３が配置されている。吹出口１０２には、ルーバ１１０が配置されている。図１と図２においては、ルーバ１１０は閉状態にされている。
【００３５】
キャビネット１００の内部には、主に、ファンとしてクロスフローファン１２０と、熱交換器１３０と、フィルタ１０３と、フィルタ清掃装置１４０と、イオン発生器１５０とが収容されている。クロスフローファン１２０は、キャビネット１００の内部において、上下方向のほぼ中央に配置されている。熱交換器１３０は、クロスフローファン１２０の上方と正面側に、クロスフローファン１２０との間に間隔をあけて、逆Ｖ字状に配置されている。フィルタ１０３は、吸込口１０１に対向するように配置されている。フィルタ清掃装置１４０は、熱交換器１３０の正面側と上面側において、熱交換器１３０とキャビネット１００との間に配置されている。
【００３６】
フィルタ清掃装置１４０は、フィルタガイド１４１と、ダクト１４２と、ダクト１４２の内部に配置されるブラシ１４３と、フィルタ１０３を移動させるフィルタ駆動装置１４４と、ブラシモータとから構成されている。
【００３７】
フィルタ清掃装置１４０のブラシ１４３は、フィルタ１０３に接触することが可能であるように、ダクト１４２内に配置されている。ダクト１４２は、空気調和機１の排気手段（図示しない）に接続されている。フィルタ駆動装置１４４は、フィルタ１０３をフィルタガイド１４１に沿って移動させる。
【００３８】
クロスフローファン１２０と吹出口１０２との間には、イオン発生器１５０が配置されている。
【００３９】
イオン発生器１５０は正負のイオンを発生させる。イオン発生器１５０は、正負のイオンとして除菌効果を有するイオンを発生させることが好ましく、例えば、正イオンとしてＨ＋（Ｈ２Ｏ）ｍ（ｍは任意の整数）と負イオンとしてＯ２−（Ｈ２Ｏ）ｎ（ｎは任意の整数）を発生させることが好ましい。このような正イオンと負イオンとを発生させることにより、イオンによる除菌の効果を高めることができる。
【００４０】
図３に示すように、フィルタ清掃装置１４０は、フィルタガイド１４１と、ダクト１４２と、ダクト１４２の内部に配置されるブラシ１４３（図２）とブラシモータと、フィルタ駆動装置１４４と、排気ファン１４６と、排気管接続部１４７とから構成される。
【００４１】
フィルタガイド１４１は、フィルタ１０３（図２）の左右の端部と中央部を挟んで支持する。フィルタガイド１４１には縦横に多数のリブが形成されており、左右の端部と中央部を挟まれたフィルタ１０３はこれらのリブによっても支持される。ダクト１４２は、フィルタガイド１４１の形状に沿って配置されたフィルタ１０３に接触するように構成されている。ダクト１４２は排気ファン１４６に接続され、排気ファン１４６の下流側には、排気管接続部１４７が形成されている。排気ファン１４６は、ダクト１４２内において空気を送出するためのものである。排気管接続部１４７は、ダクト１４２を空気調和機１（図１、図２）の排気手段に接続するためのものである。ダクト１４２内に配置されるブラシ１４３（図２）は、ブラシモータによって駆動される。
【００４２】
図４に示すように、空気調和機１（図１、図２）のリモートコントローラ２００には、少なくとも選択部としてフィルタ清掃ボタン２１１と、停止ボタン２１２とが配置されている。リモートコントローラ２００にはまた、空気調和機１の運転状況や設定内容を表示する表示部２２０が配置されている。使用者は、フィルタ清掃ボタン２１１を押して、クロスフローファン１２０（図２）の駆動停止後に自動清掃行程を行なうことを選択することができる。自動清掃行程は、冷房運転や暖房運転や除湿運転の後、所定時間経過後にフィルタ清掃装置１４０がフィルタ１０３の清掃を行う行程である。また使用者は、停止ボタン２１２を押して、空気調和機１の運転の停止を指示することができる。
【００４３】
自動清掃行程を行なうことが選択されると、表示部２２０のフィルタ掃除表示２２１が表示され、フィルタ清掃ボタン２１１が点灯する。また、使用者は、自動清掃行程が行なわれることが選択されている場合に、フィルタ清掃ボタン２１１を押すことによって、自動清掃行程を行なう選択を解除して、自動清掃行程を行なわないようにすることができる。自動清掃行程を行なうことが選択されていない場合には、フィルタ清掃ボタン２１１は消灯し、表示部２２０のフィルタ掃除表示２２１は表示されない。なお、この実施の形態ではフィルタ清掃ボタン２１１の裏面に設けられたＬＥＤ（発光ダイオード）を点灯、消灯するようにしてフィルタ清掃ボタン２１１を点灯、消灯させているが、ＬＥＤを設けず、フィルタ清掃ボタン２１１を点灯させないようにしてもよい。
【００４４】
図５に示すように、リモートコントローラ２００の蓋を開けると、リモートコントローラ２００の内部に配置されているボタンを操作することができる。リモートコントローラ２００の内部には、風量や風向を変更するためのボタンや、タイマーを設定するためのボタンが配置されている。リモートコントローラ２００の内部には、少なくとも、切タイマーボタン２１３が配置されている。切タイマーボタン２１３は、使用者が操作して予め設定された時刻としてタイマー時刻に空気調和機１の運転の停止を指示するためのものである。切タイマーボタン２１３は、使用者が操作してから所定時間経過後として、例えば、使用者が切タイマーボタン２１３を操作してから１時間経過後に空気調和機１の運転の停止を指示するためのものであってもよい。また、空気調和機１（図１）の運転を予約するためのボタンや、様々な設定をリセットするためのボタンも配置されている。例えば、使用者がフィルタ清掃ボタン２１１（図４）を押して自動清掃行程を行なうことを選択した後にリセットボタンを押すと、自動清掃行程を行なうという選択が解除される。
【００４５】
リモートコントローラ２００の停止ボタン２１２と切タイマーボタン２１３とは、停止指示部を構成する。
【００４６】
図６に示すように、空気調和機１は、制御関連の構成として、フィルタ清掃ボタン２１１と停止ボタン２１２と切タイマーボタン２１３とを含むリモートコントローラ２００と、制御部１６０と、ルーバモータ１１１と、ファンモータ１２１と、冷凍サイクル１３１と、フィルタ清掃装置１４０のフィルタ駆動装置１４４と、ブラシモータ１４５と、イオン発生器１５０とを備える。ルーバモータ１１１は、ルーバ１１０（図１、図２）を駆動させる。ファンモータ１２１は、クロスフローファン１２０（図２）を駆動させる。冷凍サイクル１３１は、熱交換器１３０（図２）の温度を調節する。
【００４７】
使用者がリモートコントローラ２００を操作すると、制御部１６０に信号が送信される。リモートコントローラ２００から送信された信号を受信した制御部１６０は、リモートコントローラ２００から送信された信号の内容に基づいて、ルーバモータ１１１と、ファンモータ１２１と、冷凍サイクル１３１と、フィルタ駆動装置１４４と、ブラシモータ１４５と、イオン発生器１５０とに制御信号を送信し、以下に説明するように、これらの部材を制御する。
【００４８】
以上のように構成された空気調和機１の動作について説明する。空気調和機１は、暖房運転、冷房運転、通常送風運転、除湿運転、部屋清浄運転の複数の運転モードを有する。
【００４９】
まず、図１から図８を用いて、暖房運転について説明する。
【００５０】
空気調和機１の暖房運転を行うように、使用者がリモートコントローラ２００を操作した場合には、制御部１６０は、冷凍サイクル１３１に制御信号を送信して、冷凍サイクル１３１を駆動し、熱交換器１３０の温度を上昇させるように制御する。制御部１６０は同時に、ルーバモータ１１１に制御信号を送信して、ルーバ１１０の下端とキャビネット１００との間において吹出口１０２が開放されるように制御する。また、制御部１６０は、ファンモータ１２１に制御信号を送信して、クロスフローファン１２０の回転によって空気が送出されるように制御する。
【００５１】
このようにすることにより、熱交換器１３０で加熱された暖かい空気がクロスフローファン１２０によって吹出口１０２から吹き出される。ルーバ１１０は、下端において吹出口１０２を開放しているので、暖かい空気は下方向に送出される。
【００５２】
空気調和機１の通常送風運転を行うように、使用者がリモートコントローラ２００を操作した場合にも、暖房運転と同様に、ルーバモータ１１１とファンモータ１２１とが駆動される。しかし、通常送風運転においては、冷凍サイクル１３１は駆動されず、吸込口１０１からキャビネット１００内に吸い込まれた空気は、そのまま加熱されずに吹出口１０２から送出される。
【００５３】
部屋清浄運転においても、上述の通常送風運転が行なわれる。部屋清浄運転においては、通常送風運転が行なわれながら、イオン発生器１５０が駆動されて、吹出口１０２から送出される空気にイオンが含まれる。
【００５４】
次に、図１から図６と図９から図１０とを用いて、冷房運転と除湿運転について説明する。冷房運転と除湿運転は、略同様の運転であるので、冷房運転について説明する。空気調和機１の冷房運転を行うように、使用者がリモートコントローラ２００を操作した場合には、制御部１６０は、冷凍サイクル１３１に制御信号を送信して、冷凍サイクル１３１を駆動し、熱交換器１３０の温度を低下させるように制御する。制御部１６０は同時に、ルーバモータ１１１に制御信号を送信して、ルーバ１１０の上端とキャビネット１００との間において吹出口１０２が開放されるように制御する。また、制御部１６０は、ファンモータ１２１に制御信号を送信して、クロスフローファン１２０の回転によって空気が送出されるように制御する。また制御部１６０はファンモータ１２１に制御信号を送信して、クロスフローファン１２０の回転によって空気が送出されるように制御する。
【００５５】
このようにすることにより、熱交換器１３０で冷却された冷たい空気がクロスフローファン１２０によって吹出口１０２から吹き出される。ルーバ１１０は、上端において吹出口１０２を開放しているので、冷たい空気は上方向に、空気調和対象室の天井に向かって送出される。
【００５６】
次に、図１から図６と図１１を用いて、フィルタ清掃装置１４０によるフィルタ１０３の清掃について説明する。
【００５７】
空気調和機１の運転中に、使用者がリモートコントローラ２００のフィルタ清掃ボタン２１１を一度、押すと、空気調和機１は自動清掃行程を行なうように設定される。リモートコントローラ２００の表示部２２０においては、フィルタ掃除表示２２１が点灯する。自動清掃行程を行なうように設定されると、フィルタ清掃ボタン２１１が点灯する。
【００５８】
制御部１６０は、クロスフローファン１２０の駆動停止後に時間を計測し、クロスフローファン１２０の駆動停止後に所定の時間が経過したときにフィルタ清掃装置１４０を駆動させる。クロスフローファン１２０の駆動停止後の所定の時間は、０分であってもよい。所定の時間が０分である場合には、クロスフローファン１２０の駆動停止直後にフィルタ清掃装置１４０が駆動される。
【００５９】
自動清掃行程においては、制御部１６０はまず、イオン発生器１５０に制御信号を送信して、イオンを発生させながら、ショートサーキット運転を５分間、行わせる。ショートサーキット運転では、ルーバ１１０の上端とキャビネット１００との間において吹出口１０２が開放されるように制御し、クロスフローファン１２０を回転させることによって、吹出口１０２から吹き出される空気がキャビネット１００の外表面に沿って流れて吸込口１０１に流入する。このようにすることにより、吸込口１０１の近傍のフィルタ１０３や熱交換器１３０がイオンによって清浄にされる。同時に、フィルタ１０３に付着している塵埃が除電される。
【００６０】
次に、制御部１６０は、ルーバモータ１１１に制御信号を送信してルーバ１１０を閉じ、ファンモータ１２１に制御信号を送信してクロスフローファン１２０の駆動を停止させる。次に、制御部１６０はフィルタ駆動装置１４４に制御信号を送信して、フィルタ１０３を移動させ、ブラシモータ１４５に制御信号を送信してブラシ１４３を回転させるように制御する。
【００６１】
フィルタ駆動装置１４４によってフィルタ１０３がフィルタガイド１４１に沿って、図２に示す位置から図１１に示す位置に移動される。図２に示す位置から図１１に示す位置まで移動されたフィルタ１０３は、図１１に示す位置からさらに、図１１に矢印で示す方向に移動される。フィルタ１０３が移動されると同時に、ブラシ１４３が回転される。ブラシ１４３が回転されると、移動するフィルタ１０３の表面をブラシ１４３がこすり、フィルタ１０３から塵埃が取り除かれてフィルタ１０３が清掃される。フィルタ１０３から取り除かれた塵埃は、ダクト１４２内に集められる。ダクト１４２は排気ファン１４６に接続されており、排気ファン１４６によって発生する空気流によって、排気管接続部１４７から空気調和対象室の外に排出される。
【００６２】
フィルタ１０３の前端部から後端部まで清掃されたら、フィルタ駆動装置１４４を逆転させて、図２に示す元の位置にフィルタ１０３を戻す。自動清掃行程は、合計約４分３０秒間で行なわれる。
【００６３】
空気調和機１の運転停止時に、使用者がリモートコントローラ２００のフィルタ清掃ボタン２１１を押した場合にも、自動清掃行程と同様に、フィルタ清掃装置１４０が駆動されてフィルタ１０３の清掃が行なわれる。
【００６４】
次に、図１２を用いて、強制清掃行程が行なわれるときの空気調和機１の動作を説明する。
【００６５】
空気調和機１の運転中に使用者がリモートコントローラ２００の停止ボタン２１２を押すと、空気調和機１の暖房運転、冷房運転、除湿運転などの運転が停止される。また、使用者がリモートコントローラ２００の切タイマーボタン２１３を操作してタイマー時刻を設定すると、設定された時刻に空気調和機１の運転が停止される。使用者が停止ボタン２１２を押したり、使用者が切タイマーボタン２１３を操作して設定されたタイマー時刻になったりすることによって、空気調和機１の暖房運転、冷房運転、除湿運転などの空気調和運転が終了すると、クロスフローファン１２０の駆動が停止される。
【００６６】
なお、この実施の形態では、空気調和機１は、使用者が切タイマーボタン２１３を操作することで設定された時刻に空気調和機１の運転が停止されるように構成されているが、使用者が切タイマーボタン２１３を操作した時点から所定時間経過後、例えば、１時間経過後や３時間経過後などに、空気調和機１の運転が停止されるように構成されていてもよい。
【００６７】
図１２に示すように、空気調和機１の暖房運転、冷房運転、除湿運転などの空気調和運転が終了し、クロスフローファン１２０の駆動が停止されると、ステップＳ００１では、制御部１６０が、自動清掃行程を行なうように設定されていないかどうかを判断する。自動清掃行程を行なうように設定されていない場合には、ステップＳ００２に進む。自動清掃行程を行なうように設定されている場合には、ステップＳ００８に進み、上述の自動清掃行程を開始する。自動清掃行程の終了後、ステップＳ００７に進む。
【００６８】
ステップＳ００２では、制御部１６０は、クロスフローファン１２０の駆動が停止された回数を積算する。
【００６９】
なお、制御部１６０が積算するクロスフローファン１２０の駆動停止の回数は、使用者が停止ボタン２１２を押して空気調和機１の駆動停止が指示されたときにクロスフローファン１２０が駆動停止された回数と、使用者が切タイマーボタン２１３を押して設定したタイマー時刻になって空気調和機１の駆動停止が指示されたときや使用者が切タイマーボタン２１３を押してから所定時間経過後にクロスフローファン１２０が駆動停止された回数とを積算したものである。制御部１６０は、例えば暖房運転や冷房運転中に、熱交換器１３０の温度が設定温度に近付いたときにもクロスフローファン１２０の駆動を停止させることがあるが、このようなクロスフローファン１２０の停止の回数は、この実施の形態においてはクロスフローファン１２０の駆動停止の回数としては積算されない。
【００７０】
ステップＳ００３では、制御部１６０は、クロスフローファン１２０が１０回以上駆動停止されたかどうかを判断する。クロスフローファン１２０が１０回以上駆動停止された場合には、ステップＳ００４に進む。クロスフローファン１２０が１０回以上駆動停止されていない場合には、ステップＳ００７に進む。
【００７１】
ステップＳ００４では、制御部１６０は、前回のフィルタ清掃から２４時間以上経過しているかどうかを確認する。前回のフィルタ清掃から２４時間以上経過していれば、ステップＳ００５に進む。前回のフィルタ清掃から２４時間以上経過していなければ、ステップＳ００７に進む。
【００７２】
ステップＳ００５では、制御部１６０は、積算した駆動停止回数をリセットする。ステップＳ００６では、制御部１６０はフィルタ清掃装置１４０を駆動して強制清掃行程を開始する。
【００７３】
このように、空気調和機１では、予め定められたクロスフローファン１２０の駆動と駆動停止との切替の回数として、クロスフローファン１２０の駆動が停止された回数が１０回になった後に、強制清掃行程を行なう。クロスフローファン１２０の駆動と駆動停止との切替の回数は、使用者がリモートコントローラ２００を操作してクロスフローファン１２０の駆動と駆動停止とを切り替えた場合の切替の回数と、タイマー設定されている場合に自動的にクロスフローファン１２０の駆動と駆動停止とが切り替えられた場合の切替の回数とを含む。
【００７４】
強制清掃行程においても、自動清掃行程と同様に、制御部１６０はまず、イオン発生器１５０に制御信号を送信して、イオンを発生させながら、上述のショートサーキット運転を５分間、行わせる。
【００７５】
次に、制御部１６０は、ルーバモータ１１１に制御信号を送信してルーバ１１０を閉じ、ファンモータ１２１に制御信号を送信してクロスフローファン１２０の駆動を停止させる。次に、制御部１６０はフィルタ駆動装置１４４に制御信号を送信して、フィルタ１０３を移動させ、ブラシモータ１４５に制御信号を送信してブラシ１４３を回転させるように制御する。
【００７６】
フィルタ駆動装置１４４によってフィルタ１０３がフィルタガイド１４１に沿って、図２に示す位置から図１１に示す位置に移動される。フィルタ１０３は、図１１に示す位置からさらに、図１１に矢印で示す方向に移動される。フィルタ１０３が移動されると同時に、ブラシ１４３が回転される。ブラシ１４３が回転されると、ブラシ１４３がフィルタ１０３の表面をこすり、フィルタ１０３から塵埃が取り除かれる。フィルタ１０３から取り除かれた塵埃は、ダクト１４２内に集められる。ダクト１４２は排気ファン（図示しない）に接続されており、排気ファンによって発生する空気流によって空気調和対象室の外に排出される。
【００７７】
フィルタ１０３の前端部から後端部まで清掃されたら、フィルタ駆動装置１４４を逆転させて、図２に示す元の位置にフィルタ１０３を戻す。強制清掃行程は、合計約４分３０秒間で行なわれる。
【００７８】
ステップＳ００７では、制御部１６０は空気調和機１の運転を停止させる。
【００７９】
以上のように、空気調和機１は、クロスフローファン１２０と、キャビネット１００と、フィルタ１０３と、フィルタ清掃装置１４０と、制御部１６０と、フィルタ清掃ボタン２１１とを備える。
【００８０】
キャビネット１００は、クロスフローファン１２０を収容し、空気を吸い込むための吸込口１０１を有するものである。フィルタ１０３は、キャビネット１００の内部において吸込口１０１に対向するように配置される。フィルタ清掃装置１４０は、フィルタ１０３を清掃するものである。制御部１６０は、クロスフローファン１２０とフィルタ清掃装置１４０の駆動を制御する。フィルタ清掃ボタン２１１は、クロスフローファン１２０が駆動停止された後にフィルタ清掃装置１４０がフィルタ１０３を清掃する自動清掃行程を行なうことを使用者が選択するためのものである。
【００８１】
制御部１６０は、使用者によってフィルタ清掃ボタン２１１を通して自動清掃行程を行なうことが選択されている場合には、クロスフローファン１２０が駆動停止された後にフィルタ清掃装置１４０がフィルタ１０３を清掃する自動清掃行程を行なうようにフィルタ清掃装置１４０を制御するように構成されている。また制御部１６０は、使用者によってフィルタ清掃ボタン２１１を通して自動清掃行程を行なうことが選択されていない場合には、クロスフローファン１２０の駆動と駆動停止との切替の回数として、クロスフローファン１２０の駆動停止の回数が１０回になった後、フィルタ清掃装置１４０がフィルタ１０３を清掃する強制清掃行程を行なうようにフィルタ清掃装置１４０を制御するように構成されている。
【００８２】
空気調和機１の使用者は、フィルタ清掃ボタン２１１を通して、クロスフローファン１２０が駆動停止された後にフィルタ清掃装置１４０がフィルタ１０３を清掃する自動清掃行程を行なうことを選択することができる。使用者が、自動清掃行程を行なうことを選択しない場合には、自動清掃行程は行なわれない。
【００８３】
使用者が自動清掃行程を行なうことを選択しない場合、すなわち、使用者が自動清掃行程を行なうことを選択し忘れている場合や、使用者が気付かないうちに自動清掃行程を行なう選択が解除されている場合には、強制清掃行程を行なうように、制御部１６０がフィルタ清掃装置１４０を制御する。強制清掃行程では、クロスフローファン１２０の駆動と駆動停止との切替の回数として、クロスフローファン１２０の駆動停止の回数が１０回になった後、フィルタ清掃装置１４０がフィルタ１０３を清掃する。
【００８４】
このようにして、自動清掃行程を行なうことが使用者によって選択されていない場合であっても、フィルタ１０３を清掃することができる。使用者が誤って自動清掃行程を選択しない場合にも、強制清掃行程によってフィルタ１０３の清掃が行なわれるので、フィルタ１０３にある程度以上の埃が堆積することを防ぐことができる。
【００８５】
このようにすることにより、フィルタ清掃装置１４０によってフィルタ１０３を効果的に清掃することが可能な空気調和機１を提供することができる。
【００８６】
また、空気調和機１は、使用者が空気調和機１の運転の停止を指示するための停止指示部を備える。停止指示部は、停止ボタン２１２と切タイマーボタン２１３とによって構成されている。
【００８７】
制御部１６０は、停止指示部を通して空気調和機１の運転の停止が指示された場合であって、使用者によってフィルタ清掃ボタン２１１を通して自動清掃行程を行なうことが選択されている場合には、停止指示部を通して空気調和機１の運転の停止が指示されてクロスフローファン１２０が駆動停止された後、フィルタ清掃装置１４０がフィルタ１０３を清掃する自動清掃行程を行なうようにフィルタ清掃装置１４０を制御する。
【００８８】
また、制御部１６０は、停止指示部を通して空気調和機１の運転の停止が指示された場合であって、使用者によってフィルタ清掃ボタン２１１を通して自動清掃行程を行なうことが選択されていない場合には、停止指示部を通して空気調和機１の運転の停止が指示されることによってクロスフローファン１２０の駆動と駆動停止との切替の回数が予め定められた回数になった後、フィルタ清掃装置１４０がフィルタ１０３を清掃する強制清掃行程を行なうようにフィルタ清掃装置１４０を制御する。
【００８９】
また、制御部１６０は、停止指示部を通して空気調和機１の運転の停止が指示されていない場合には、クロスフローファン１２０が駆動停止されても自動清掃行程と強制清掃行程のいずれも行わないように構成されている。
【００９０】
空気調和機１のクロスフローファン１２０は、空気調和機１の運転の停止、すなわち、暖房運転や冷房運転、除湿運転などの終了時だけでなく、例えば冷暖房運転中に空気調和対象室内の温度が設定温度になったとき（空気調和対象室内の温度と設定温度とは必ずしも一致する必要はなく、空気調和対象室内の温度が設定温度の近傍になったときも含む）にも駆動停止される。空気調和対象室内の温度が設定温度の近傍になったときのクロスフローファン１２０の駆動停止は比較的短時間であり、クロスフローファン１２０はすぐに再駆動されることが多い。
【００９１】
そのため、冷暖房運転中にクロスフローファン１２０が一旦駆動停止したときにフィルタ１０３の清掃が行なわれると、次にクロスフローファン１２０が再駆動するときに、フィルタ１０３の清掃の終了を待つ必要がある。このように、冷暖房運転中にフィルタ１０３の清掃の終了を待ってからクロスフローファン１２０が再駆動されると、フィルタ１０３の清掃の終了を待っている間に空気調和対象室内の温度が設定温度から大きく離れてしまい、再び設定温度に近付くまでに時間がかかり、使用者が不快に感じることがある。
【００９２】
そこで、空気調和機１は空気調和機１の運転の停止を指示するための停止指示部を備え、停止指示部を通して空気調和機１の運転の停止が指示されることによってクロスフローファン１２０の駆動が停止された時にのみ、自動清掃行程または強制清掃行程が行われる。
【００９３】
このようにすることにより、冷暖房運転など空気調和機１の運転中に自動清掃行程や強制清掃行程が行われて使用者に不快感を与えることを防ぐことができる。
【００９４】
また、空気調和機１においては、停止指示部の停止ボタン２１２は、使用者が操作して空気調和機１の運転の停止を指示することが可能であるように構成されている。
【００９５】
このようにすることにより、使用者が空気調和機１の運転の停止を指示した時に、自動清掃行程または強制清掃行程が行われるようにすることができる。
【００９６】
また、空気調和機１においては、停止指示部の切タイマーボタン２１３は、使用者が操作して予め設定された時刻に、または、使用者が切タイマーボタン２１３を操作してから所定時間経過後に、空気調和機１の運転の停止を指示することが可能であるように構成されている。
【００９７】
このようにすることにより、予め設定された時刻に、または、使用者が切タイマーボタン２１３を操作してから所定時間経過後に、空気調和機１の運転の停止が指示された時に、自動清掃行程または強制清掃行程が行われるようにすることができる。
【００９８】
また、空気調和機１においては、制御部１６０は、一度、強制清掃行程を行なった後、次の強制清掃行程を行なう場合には、少なくとも一定時間（この実施の形態では２４時間）の間隔をあけて次の強制清掃行程を行なうように構成されている。
【００９９】
クロスフローファン１２０の駆動と駆動停止との切替が予め定められた回数以上行なわれても、前回の強制清掃行程から一定時間経過していない場合には、フィルタ１０３を清掃する必要がない場合がある。そこで、制御部１６０は、一度、強制清掃行程を行なった後、次の強制清掃行程を行なう場合には、少なくとも一定時間の間隔をあけて次の強制清掃行程を行なうように構成されていることによって、不必要にフィルタ清掃装置１４０を駆動することがなくなる。
【０１００】
なお、この実施の形態においては、フィルタ清掃装置１４０がキャビネット１００に固定され、フィルタ１０３を移動させてフィルタ清掃を行っているが、フィルタ１０３を移動させずに、フィルタ清掃装置１４０を移動させるように構成されている空気調和機にも適用することができる。
【０１０１】
また、この実施の形態においては、強制清掃行程は一定時間間隔として少なくとも２４時間の間隔をあけて複数回、行なわれているが、一定時間の間隔は、他の時間間隔であってもよい。この一定の時間間隔は、フィルタ１０３の汚れの程度に応じて適宜決定されてもよい。例えば、フィルタ１０３に汚れが溜まりにくい場合には、２４時間よりも長い間隔をあけて強制清掃行程が複数回、行なわれてもよい。また、フィルタ１０３に汚れが溜まりやすい場合には、２４時間以内に強制清掃行程が複数回、行なわれてもよい。また、空気調和機１は、使用者がリモートコントローラ２００を操作することによって、この一定の時間間隔を自由に設定できるように構成されていてもよい。
【０１０２】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０３】
１：空気調和機、１００：キャビネット、１０１：吸込口、１０３：フィルタ、１２０：クロスフローファン、１４０：フィルタ清掃装置、１６０：制御部、２１１：フィルタ清掃ボタン、２１２：停止ボタン、２１３：切タイマーボタン。
【図１】
2011094865.tif 000003
【図２】
2011094865.tif 000004
【図３】
2011094865.tif 000005
【図４】
2011094865.tif 000006
【図５】
2011094865.tif 000007
【図６】
2011094865.tif 000008
【図７】
2011094865.tif 000009
【図８】
2011094865.tif 000010
【図９】
2011094865.tif 000011
【図１０】
2011094865.tif 000012
【図１１】
2011094865.tif 000013
【図１２】
2011094865.tif 000014